(57)【要約】【課題】音声が鼓膜に対して与える衝撃波を軽減できるほか、衝撃波を和らげるために放出する音波を使用者が聴取できるようにする、カナル型イヤホンを提供する。【解決手段】カナル型イヤホン２は２つのケーシング体２１を有し、ケーシング体２１の内部にスピーカー２２が設けられているとともに、その一端を延伸させて音声出力穴２１４が形成されている。ケーシング体２１の外面の音声出力穴２１４と対向しない位置に取付穴２１５をさらに設け、取付穴２１５にはその形状に対応した、振動ダイヤフラム２３１と振動ダイヤフラム２３１が固設される伸縮部材２３２とを含む振動構造２３が設けられている。スピーカー２２から出力される音波がケーシング体２１内部で振動するとき、振動ダイヤフラム２３１と伸縮部材２３２とが音波の通過によって振動すると共に、音声出力穴２１４から出力されない音波を振動構造２３から出力する。【選択図】図１
0003197746.tif 000002
【実用新案登録請求の範囲】
【請求項１】
２つのケーシング体を有し、前記ケーシング体の内部にスピーカーが設けられているとともに、その一端を延伸させて音声出力穴が形成されている、カナル型イヤホンであって、
前記ケーシング体の外面の前記音声出力穴と対向しない位置に取付穴をさらに設け、
前記取付穴にはその形状に対応した、振動ダイヤフラムと該振動ダイヤフラムが固設される伸縮部材とを含む振動構造が設けられており、
前記スピーカーから出力される音波が前記ケーシング体内部で振動するとき、前記振動ダイヤフラムと前記伸縮部材とが音波の通過によって振動すると共に、前記音声出力穴から出力されない音波を前記振動構造から出力することを特徴とする、カナル型イヤホン。
【請求項２】
前記音声出力穴の音声出力方向と、前記振動構造の音声出力方向との間の狭角が３０〜１２０度であることを特徴とする、請求項１記載のカナル型イヤホン。
【請求項３】
前記振動構造は耳の鼓膜に接触されることを特徴とする、請求項１記載のカナル型イヤホン。
【請求項４】
前記ケーシング体は前部ケーシングと、内部ケーシングと、後部ケーシングとを組み合わせて構成されており、
前記内部ケーシングは前記後部ケーシングと密閉空間を形成し、
前記スピーカーは前記内部ケーシングと接続され、
前記音声出力は前記前部ケーシングに設けられ、
前記取付穴は前記後部ケーシングに取り付けられることを特徴とする、請求項１記載のカナル型イヤホン。
【請求項５】
前記取付穴には、ほこりが前記振動構造へ接触することを防止する保護網が装着されていることを特徴とする、請求項１記載のカナル型イヤホン。
【請求項６】
前記保護網が二層構造を有し、該二層構造は完全に重なってはいないことを特徴とする、請求項５記載のカナル型イヤホン。
【請求項７】
前記保護網は金属またはプラスチック部材であることを特徴とする、請求項５記載のカナル型イヤホン。
【請求項８】
前記振動ダイヤフラムは薄い金属、プラスチック、紙またはセラミック部材であり、前記伸縮部材は軟性部材であることを特徴とする、請求項１記載のカナル型イヤホン。
【考案の詳細な説明】
【技術分野】
【０００１】
本考案はイヤホンの分野に関し、特に音声が鼓膜に対して与える衝撃を和らげると共に、その衝撃によって漏れ出した音声を充分に利用できるカナル型イヤホンの構造に関する。
【背景技術】
【０００２】
新しい技術と新素材が絶えず開発される中、人々の視聴に対する要求も益々高まっている。イヤホン、オーディオ装置など音声を出す装置が次から次へと発売され、イヤホンの遮音効果を向上するために、カナル型イヤホンが開発されている。ゴム部材のイヤホンプラグを外耳道の内部に装着することによって、外部の騒音を軽減できると共に、より良い密閉性効果が得られる。
【考案の概要】
【考案が解決しようとする課題】
【０００３】
カナル型イヤホンは優れた密閉性を有しているため、イヤホン内部のスピーカーから音声を出力するとき、絶えず振動して衝撃波を発生させ、外部ケーシング体の外側の空気には、スピーカー及び使用者の耳が接触せず、衝撃波を放出することができないため、そのまま使用者の耳に伝わってしまう。このように使用者にもたらす不快感を避けるため、一部の業者はイヤホンに開放孔を設けている。図５に示す公知のイヤホン構造の態様図を参照する。公知技術のイヤホン構造１は、外部ケーシング１１を有し、かかる外部ケーシング１１に音声出力穴１１１と、少なくとも一つの開放孔１１２とを設け、開放孔１１２は音声出力穴１１１の背面に取り付けられている。しかしながら、公知技術においては開放孔１１２しか設けられておらず、しかも開放孔１１２は音声出力穴１１１が設けられる外部ケーシング１１の他端に設けられている。開放孔１１２をこの場所に設けることにより余分な音波を放出できるが、使用者は放出される音波を聴取することができない。もっと大きい課題は、使用者の周りにいる人々に騒々しさ及び不快感を覚えさせることである。
【課題を解決するための手段】
【０００４】
この点について、考案者は不完全なところを鋭意研究し、かかる産業における長年蓄積された経験をもとに、カナル型イヤホンの構造を考案し、前述した公知技術の欠点の改善を図る。
【０００５】
本考案の一目的は、音声が鼓膜に対して与える衝撃波を軽減できるほか、衝撃波を和らげるために放出する音波を使用者が聴取できるようにする、カナル型イヤホンを提供することにある。
【０００６】
本考案に係るカナル型イヤホンは２つのケーシング体を有する。それぞれのケーシング体の内部にスピーカーが設けられているとともに、その一端を延伸させて音声出力穴が形成されている。ケーシング体の外面の音声出力穴と対向しない位置に取付穴をさらに設け、その取付穴にはその形状に対応した振動構造が取り付けられる。振動構造は耳の耳介に接触される。振動構造は振動ダイヤフラムと、振動ダイヤフラムが固設される伸縮部材とを含む。振動ダイヤフラムは薄い金属またはプラスチックもしくは紙など、フィルム状に仕上げられる部材から選択し、伸縮部材は軟性部材から選択する。スピーカーから出す音波がケーシング体内部で振動するとき、伸縮部材と振動ダイヤフラムとが音波の通過によって振動すると同時に、音声出力穴から伝送されていない音波が振動構造より伝送される。
【０００７】
そのうち、ケーシング体は、前部ケーシングと、内部ケーシングと、後部ケーシングとを組み合わせて構成される。内部ケーシングを後部ケーシングに固定して、かつ後部ケーシングと密閉空間を形成する。スピーカーは内部ケーシングと接続され、音声出力穴は前部ケーシングに設けられ、取付穴は後部ケーシングに取り付けられる。これにより、スピーカーから出力される音波は充分な共鳴を発生するための共鳴腔が形成される。
【０００８】
このほか、取付穴には保護網が装着される。保護網はほこりが振動構造へ接触することを防止し、保護網の材質には例えば、金属を選択する。かかる保護網は完全に重ならない二層構造を形成する。さらに、ほこりが振動構造へと接触することをより難しくするため、接触保護網の格子をより小さくしている。
【０００９】
これにより、振動構造によって、一部の音波をイヤホン構造から漏れだすことによって、鼓膜に対する衝撃が軽減される。さらに、振動構造の音声出力角度と音声出力穴の音声出力角度とが一定の角度を維持するため、振動構造からの音声出力方向は鼓膜に向かって伝えられ、音波の振動が鼓膜を通じて再び鼓膜に戻される。このように段階的に分けて伝達することによって、鼓膜に伝わる瞬間的な大きい衝撃を避けることができると同時に、漏れ出させた音波を再び使用者に聴取させることができる。
【図面の簡単な説明】
【００１０】
【図１】本考案の好ましい実施形態に係るカナル型イヤホンの分解図である。
【図２】同実施形態に係るカナル型イヤホンの立面図である。
【図３】同実施形態に係るカナル型イヤホンの保護網の概略図である。
【図４】同実施形態に係るカナル型イヤホンの使用概略図である。
【図５】公知のイヤホン構造を示す概略図である。
【考案を実施するための形態】
【００１１】
本考案の内容のさらなる理解を図るため、以下に本考案の好ましい実施形態を図面を参照しながら説明する。同じ構成要素には同じ符号を用いる。
【００１２】
図１〜４に示す、本考案の好ましい実施形態に係るカナル型イヤホンの分解図、立面図、保護網の概略図、使用態様図を参照する。図１〜４に示すように、本考案のカナル型イヤホン２は、２つのケーシング体２１を有し、それぞれのケーシング体２１の内部にはスピーカー２２が設けられていて、かつそれぞれのケーシング体２１の一端を延伸させて音声出力穴２１４が形成されている。これにより、スピーカー２２から伝達する音波に共鳴を発生させるための充分な共鳴体を形成することができる。
【００１３】
それぞれのケーシング体２１は、前部ケーシング２１１と、内部ケーシング２１２と、後部ケーシング２１３とを組み合わせて構成される。内部ケーシング２１２は後部ケーシング２１３の内部に固定されていて、かつ前部ケーシング２１１と後部ケーシング２１３とが密閉空間を形成する。スピーカー２２は内部ケーシング２１２に接続する。音声出力穴２１４を前部ケーシング２１１に設け、後部ケーシング２１３の外面には取付穴２１５がさらに設けられている。取付穴２１５は音声出力穴２１４に対向しない位置にあり、取付穴２１５には取付穴２１５の形状に対応した振動構造２３が設けられている。振動構造２３は耳の鼓膜３に接触される。振動構造２３は振動ダイヤフラム２３１と、伸縮部材２３２とを有し、振動ダイヤフラム２３１は伸縮部材２３２に固設される。振動ダイヤフラム２３１は薄い金属材質からなり、伸縮部材２３２は軟性部材である。スピーカー２２から出力される音波がケーシング体２１の内部で振動するとき、伸縮部材２３２と振動ダイヤフラム２３１とが音波の通過によって振動すると同時に、音声出力穴２１４から出力されない音波が振動構造２３から出力される。
【００１４】
使用者が使用するときは、カナル型イヤホン２を外耳道の内部に装着した後、カナル型イヤホン２内蔵のスピーカー２２から音楽が再生され、音楽はスピーカー２２から送出された後に、前部ケーシング２１１と後部ケーシング２１３とから形成される密閉された共鳴体で絶えずに振動し、音楽の音波の大部分が音声出力穴２１４から出力されて、そのまま鼓膜に伝わり、鼓膜が振動し使用者が再生の音楽を聴取できる。残り部分の音楽音波は、取付穴２１５に取り付けられた振動構造２３から外部に出力されていく。
【００１５】
さらに、振動構造２３の音声出力方向と、音声出力穴２１４の音声出力方向との間の挟角は、図２に示すように３０〜１２０度の角度θを形成する。図２に示すように８５〜９０度または９０〜９５度が好ましいが、この限りではない。ケーシング体２１によって、その挟角はそれぞれ異なってもよい。このように、振動構造２３の音声出力方向は、耳の鼓膜３のカバー範囲にあるが、この角度範囲を超えてしまうと、振動構造２３から出力される音波はほとんど使用者に聴取されることがない。しかし、本実施形態に係るカナル型イヤホンのような設計によれば、振動構造２３を耳の鼓膜３に接触させることができるため、振動構造２３から出力される音波は、鼓膜３からの伝送によって再び鼓膜に伝えることができる。さらに、空気を介して伝送される音波は、体によって伝送される音波の聴覚効果とは異なるため、低音効果が強化されることとなり、使用者に一味違う感覚を与える効果をもたらす。さらに、一部の音波は振動構造２３から出力されるため、鼓膜で受ける瞬間的な衝撃が有効に軽減され、使用者の鼓膜が音波の衝撃を受けることにより感じる不快感を和らげる効果がある。
【００１６】
このほか、取付穴２１５には保護網２４が装着されており、保護網２４はほこりが振動構造２３の振動ダイヤフラム２３１に接触することや、手に残された油脂や、汗などの物質が振動ダイヤフラム２３１または伸縮部材２３２に接触することから保護できる。もし、振動ダイヤフラム２３１または伸縮部材２３２に油脂や、汗などが付着すると、重量の不釣り合いなどによって、振動ダイヤフラム２３１または伸縮部材２３２が振動するときに、本来の正常な振動を生じることができないため、振動構造２３が正常に稼働しなくなり、振動構造２３から所定の音波を出力することができない。保護網２４は金属部材を使用しており、保護網２４は二層の金属網を重ね合わせてなるが、かかる二層の金属網は完全に重なってはおらず、これにより保護網の格子をより小さくしている。保護網２４の網径は０．０５ｍｍ〜０．１ｍｍとなり、ほこりが振動構造２３に接触しにくい。
【００１７】
本考案のカナル型イヤホン２はこのような設計によって、スピーカー２２が鼓膜に対して与える衝撃を和らげると共に、衝撃を和らげるために放出された一部の音波を再び集めて、再び使用者に聴取させることができるという効果をもたらす。なお、図５に示す公知技術の音声出力１１２に比べて、周りの人に騒々しさ不快感を与えることもない。振動構造２３から出力される音波が耳の鼓膜３を振動の媒体として、音波を再び鼓膜に伝え、使用者にサラウンド音響効果をもたらせる。本考案のカナル型イヤホン２は前部ケーシング２１１にて、耳栓２５を係合するための輪状の凹み溝２１６をさらに設けることにより、落ちることなく、より簡単に耳道に固定することができる。
【符号の説明】
【００１８】
２  カナル型イヤホン
２１  ケーシング体
２１１  前部ケーシング
２１２  内部ケーシング
２１３  後部ケーシング
２１４  音声出力穴
２１５  取付穴
２１６  輪状の凹み溝
２２  スピーカー
２３  振動構造
２３１  振動ダイヤフラム
２３２  伸縮部材
２４  保護網
２５  耳栓
３  鼓膜
θ  挟角
１  イヤホン構造（公知技術）
１１  外部ケーシング（公知技術）
１１１  音声出力穴（公知技術）
１１２  開放孔（公知技術）
【図１】
0003197746.tif 000003
【図２】
0003197746.tif 000004
【図３】
0003197746.tif 000005
【図４】
0003197746.tif 000006
【図５】
0003197746.tif 000007